【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
サウンディング参照信号の伝送方法であって、
端末機器が、ネットワーク機器によって送信されるダウンリック制御情報（ＤＣＩ）を受信することであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用されることと、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することであって、Ｋは非負整数であることとを含むことを特徴とする、前記サウンディング参照信号の伝送方法。
【請求項２】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項１に記載のサウンディング参照信号の伝送方法。
【請求項３】
前記Ｋの値が、前記少なくとも１つのＳＲＳリソースセット内の各ＳＲＳリソースセットに対して、高層シグナリングを介して前記ネットワーク機器によって構成されたものである場合、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ１個のタイムスロットを受信した後、第１プリセット条件を満たすタイムスロット内の、第１ＳＲＳリソースセット内のＳＲＳリソースでＳＲＳ信号を伝送することであって、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを含むことを特徴とする、
請求項２に記載のサウンディング参照信号の伝送方法。
【請求項４】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ２個のタイムスロットを受信した後、第１プリセット条件を満たすタイムスロット内の、第１ＳＲＳリソースでＳＲＳ信号を伝送することであって、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを含むことを特徴とする、
請求項２に記載のサウンディング参照信号の伝送方法。
【請求項５】
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
前記端末機器が、前記ＤＣＩから始まるＫ個のタイムスロットを受信した後、第１プリセット条件を満たす最初のタイムスロット内の、前記少なくとも１つのＳＲＳリソースセットに含まれるターゲットＳＲＳリソースでＳＲＳ信号を伝送することを含むことを特徴とする、
請求項１ないし４のいずれか一項に記載のサウンディング参照信号の伝送方法。
【請求項６】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つのシンボルが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項１ないし５のいずれか一項に記載のサウンディング参照信号の伝送方法。
【請求項７】
前記端末機器が、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送することは、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、前記端末機器が、割り当てられたＯＦＤＭシンボルのうちの、前記少なくとも１つのＯＦＤＭシンボルを除くＯＦＤＭシンボルでＳＲＳ信号を伝送することを含むことを特徴とする、
請求項１ないし６のいずれか一項に記載のサウンディング参照信号の伝送方法。
【請求項８】
端末機器であって、
ネットワーク機器によって送信されるダウンリック制御情報（ＤＣＩ）を受信するように構成される通信ユニットであって、前記ＤＣＩは、サウンディング参照信号（ＳＲＳ）トリガシグナリングを含み、前記ＳＲＳトリガシグナリングは、少なくとも１つのＳＲＳリソースセットでのＳＲＳ伝送を指示するために使用される通信ユニットを備え、
前記通信ユニットは、さらに、前記ＤＣＩから始まるＫ個のタイムスロットを受信した後、第１プリセット条件を満たすタイムスロット内の、前記少なくとも１つのＳＲＳリソースセットに含まれるターゲットＳＲＳリソースでＳＲＳ信号を伝送するように構成され、Ｋは非負整数であることを特徴とする、前記端末機器。
【請求項９】
前記Ｋの値は、前記少なくとも１つのＳＲＳリソースセットに対して、高層シグナリングを介して前記ネットワーク機器よって構成されたものであり、または、前記Ｋの値は、前記少なくとも１つのＳＲＳリソースセット内の各ＳＲＳリソースセットに対して、高層シグナリングを介して前記ネットワーク機器よってそれぞれ構成されたものであり、または、前記Ｋの値は、前記少なくとも１つのＳＲＳリソースセットに含まれる各ＳＲＳリソースに対して、高層シグナリングを介して前記ネットワーク機器よってそれぞれ構成されたものであることを特徴とする、
請求項８に記載の端末機器。
【請求項１０】
前記Ｋの値が、前記少なくとも１つのＳＲＳリソースセット内の各ＳＲＳリソースセットに対して、高層シグナリングを介して前記ネットワーク機器によって構成されたものである場合、
前記通信ユニットは、具体的に、
前記ＤＣＩから始まるＫ１個のタイムスロットを受信した後、第１プリセット条件を満たすタイムスロット内の、第１ＳＲＳリソースセット内のＳＲＳリソースでＳＲＳ信号を伝送するように構成され、前記第１ＳＲＳリソースセットは、前記少なくとも１つのＳＲＳリソースセットに属し、Ｋ１は、前記第１ＳＲＳリソースセットに対して前記ネットワーク機器によって構成された第１伝送遅延であることを特徴とする、
請求項９に記載の端末機器。
【請求項１１】
前記Ｋの値が、前記少なくとも１つのＳＲＳリソースセットに含まれる各ＳＲＳリソースに対して、高層シグナリングを介して前記ネットワーク機器よってそれぞれ構成されたものである場合、
前記通信ユニットは、具体的に、
前記ＤＣＩから始まるＫ２個のタイムスロットを受信した後、第１プリセット条件を満たすタイムスロット内の、第１ＳＲＳリソースでＳＲＳ信号を伝送するように構成され、前記第１ＳＲＳリソースは、前記少なくとも１つのＳＲＳリソースセットに属し、Ｋ２は、前記第１ＳＲＳリソースに対して前記ネットワーク機器によって構成された第２伝送遅延であることを特徴とする、
請求項９に記載の端末機器。
【請求項１２】
前記通信ユニットは、具体的に、
前記ＤＣＩから始まるＫ個のタイムスロットを受信した後、第１プリセット条件を満たす最初のタイムスロット内の、前記少なくとも１つのＳＲＳリソースセットに含まれるターゲットＳＲＳリソースでＳＲＳ信号を伝送するように構成されることを特徴とする、
請求項８ないし１１のいずれか一項に記載の端末機器。
【請求項１３】
前記通信ユニットは、具体的に、
前記ＤＣＩから始まるＫ個のタイムスロットを受信した後、第１プリセット条件を満たすタイムスロット内のアクティブ化された帯域幅部分（ＢＷＰ）で、前記少なくとも１つのＳＲＳリソースセットに含まれるターゲットＳＲＳリソースでＳＲＳ信号を伝送するように構成され、または、
前記ＤＣＩから始まるＫ個のタイムスロットを受信した後、第１プリセット条件を満たすタイムスロット内の、前記少なくとも１つのＳＲＳリソースセットに関連付けられたＢＷＰで、前記少なくとも１つのＳＲＳリソースセットに含まれるターゲットＳＲＳリソースでＳＲＳ信号を伝送するように構成されることを特徴とする、
請求項８ないし１２のいずれか一項に記載の端末機器。
【請求項１４】
前記第１プリセット条件を満たすタイムスロットは、
タイムスロット内の全てのシンボルがアップリンクシンボルであること、タイムスロットに少なくともＭ個（Ｍは正整数である）のアップリンクシンボルが含まれること、タイムスロット内の最後のＮ個（Ｎは正整数である）のシンボルが全てアップリンクシンボルであること、タイムスロットが、ターゲット物理アップリンク制御チャネル（ＰＵＣＣＨ）フォーマットのＰＵＣＣＨの伝送のために使用されないこと、タイムスロット内の前記少なくとも１つのＳＲＳリソースセット内のいずれか１つのＳＲＳリソースに割り当てられた直交周波数分割多重（ＯＦＤＭ）シンボルが、全てアップリンクシンボルであること、タイムスロット内の前記ターゲットＳＲＳリソースに割り当てられたＯＦＤＭシンボルが、全てアップリンクシンボルであること、タイムスロット内の前記少なくとも１つのＳＲＳリソースセット内のいずれか１つのＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルが、全てＰＵＣＣＨによって占有されないこと、タイムスロット内の前記ターゲットＳＲＳリソースに割り当てられたＯＦＤＭシンボルのうちの少なくとも１つが、ＰＵＣＣＨによって占有されないこと、タイムスロットで構成された物理アップリンク共有チャネル（ＰＵＳＣＨ）が、ＰＵＳＣＨマッピングタイプＡを使用すること、タイムスロット内の前記ＳＲＳリソースセット内のいずれか１つのＳＲＳリソースに割り当てられたＯＦＤＭシンボルが、ＰＵＳＣＨマッピングタイプＢを使用したＰＵＳＣＨのスケジューリングに使用されないこと、タイムスロット内の前記ターゲットＳＲＳリソースに割り当てられたＯＦＤＭシンボルが、ＰＵＳＣＨマッピングタイプＢを使用したＰＵＳＣＨのスケジューリングに使用されないことのうちの少なくとも１つのプリセット条件を満たすタイムスロットであることを含むことを特徴とする、
請求項８ないし１３のいずれか一項に記載の端末機器。
【請求項１５】
前記通信ユニットは、具体的に、
第１プリセット条件を満たすタイムスロット内の、前記少なくとも１つのＳＲＳリソースセットに含まれるターゲットＳＲＳリソースに割り当てられたＯＦＤＭシンボルに、ＳＲＳの伝送に使用できない少なくとも１つのＯＦＤＭシンボルが存在する場合、割り当てられたＯＦＤＭシンボルのうちの、前記少なくとも１つのＯＦＤＭシンボルを除くＯＦＤＭシンボルでＳＲＳ信号を伝送するように構成されることを特徴とする、
請求項８ないし１４のいずれか一項に記載の端末機器。